(57)【要約】【課題】通気性に富み、腰部や大腿部の締め付け感や圧迫感がなく、着脱が容易で、肌が荒れることもないファッション性に優れたストッキングを提供する。【解決手段】左右一対のストッキング脚部１１、１２と、ウェストバンド１５と、一対のストッキング脚部１１、１２の各々をウェストバンド１５に接合する前側ガーター１６、１７および後側ガーター１８、１９とを有している。前側ガーター１６、１７を腹部位置でウェストバンド１５およびストッキング脚部１１、１２に接合し、後側ガーター１８、１９を足の真横とヒップラインとの間の位置でウェストバンド１５およびストッキング脚部１１、１２に接合する。【選択図】　　　　図１
2004003063.tif 000002
【特許請求の範囲】
【請求項１】
左右一対のストッキング脚部と、ウェストバンドと、一対の前記ストッキング脚部の各々を前記ウェストバンドに接合する左右一対の前側ガーターおよび左右一対の後側ガーターとを有するストッキングであって、前記前側ガーターを腹部位置で前記ウェストバンドおよび前記ストッキング脚部に接合し、前記後側ガーターを足の真横とヒップラインとの間の位置で前記ウェストバンドおよび前記ストッキング脚部に接合したことを特徴とするストッキング。
【請求項２】
左右一対のストッキング脚部と、ウェストバンドと、一対の前記ストッキング脚部の各々を前記ウェストバンドに接合する左右一対の前側ガーターおよび左右一対の後側ガーターとを有するストッキングであって、一対の前記後側ガーターの間隔を一対の前記前側ガーターの間隔よりも広くしたことを特徴とするストッキング。
【請求項３】
前記ウェストバンドの長さを５５ｃｍから６０ｃｍ、一対の前記前側ガーターの間隔を１０ｃｍから１４ｃｍ、一対の前記後側ガーターの間隔を１６ｃｍから２４ｃｍとしたことを特徴とする請求項２に記載のストッキング。
【請求項４】
左右一対のストッキング脚部と、一対の前記ストッキング脚部の上部にそれぞれ接合されたフリンジと、ウェストバンドと、それぞれの前記フリンジを前記ウェストバンドに接合する左右一対の前側ガーターおよび左右一対の後側ガーターとを有するストッキングであって、前記前側ガーターと前記後側ガーターとの前記フリンジにおける接合部での間隔を、前記ウェストバンドにおける接合部での間隔とほぼ同じ間隔としたことを特徴とするストッキング。
【請求項５】
前記ウェストバンドの長さを５５ｃｍから６０ｃｍ、前記フリンジの開口端側長さを３９ｃｍから４４ｃｍ、前記前側ガーターと前記後側ガーターとの間隔を１０ｃｍから１６ｃｍとしたことを特徴とする請求項４に記載のストッキング。
【請求項６】
前記ストッキング脚部の上部にフリンジが形成され、前記ガーターを前記フリンジと前記ウェストバンドに接合したことを特徴とする請求項１から請求項３のいずれかに記載のストッキング。
【請求項７】
前記フリンジ、前記ガーター、および前記ウェストバンドを同一素材で形成したことを特徴とする請求項４または請求項５に記載のストッキング。
【請求項８】
前記フリンジ、前記ガーター、および前記ウェストバンドをレースで形成したことを特徴とする請求項４または請求項５に記載のストッキング。
【請求項９】
前記フリンジおよび前記ウェストバンドの少なくとも一方の外表面であって、前記前側ガーターの接合部近傍に装飾リボンを設けたことを特徴とする請求項１から請求項５のいずれかに記載のストッキング。
【請求項１０】
左右一対のストッキング脚部と、ウェストバンドと、一対の前記ストッキング脚部の各々を前記ウェストバンドに接合する連接部とを有するストッキングであって、前記ウェストバンドとして、幅方向よりも長さ方向に大きな伸縮性を有する所定幅で所定長さのレース材を用い、前記レース材の両端を接合することで前記ウェストバンドがリング状に形成されていることを特徴とするストッキング。
【請求項１１】
リング状に形成した前記ウェストバンドを、前記連接部に接合したことを特徴とする請求項１０に記載のストッキング。
【請求項１２】
左右一対のストッキング脚部を有するストッキング部と、前記ストッキング部の開口部に形成されたウェストバンドとを備えたパンティストッキングであって、前記ウェストバンドとして、幅方向よりも長さ方向に大きな伸縮性を有する所定幅で所定長さのレース材を用い、前記レース材の両端を接合することで前記ウェストバンドをリング状に形成し、リング状に形成した前記ウェストバンドを前記ストッキング部の開口部に接合したことを特徴とするパンティストッキング。
【請求項１３】
前記ストッキング脚部への接合前の前記ウェストバンドをリング状に形成した状態では、両端開口部の大きさが等しい筒状に形成されていることを特徴とする請求項１２に記載のパンティストッキング。
【請求項１４】
前記ウェストバンドを、自然長さの状態で前記ストッキング部の開口部周囲長さよりも長い寸法となるように形成していることを特徴とする請求項１２に記載のパンティストッキング。
【請求項１５】
前記ストッキング脚部への接合前の自然長さの状態で前記ウェストバンドの長さを５５ｃｍから６０ｃｍとし、前記ストッキング部の開口部周囲長さの１．０３倍から１．１０倍の範囲としたことを特徴とする請求項１４に記載のパンティストッキング。
【請求項１６】
前記ウェストバンドを、前記ストッキング部の開口部を伸張した状態で接合したことを特徴とする請求項１２から請求項１５に記載のパンティストッキング。
【発明の詳細な説明】
【０００１】
【発明の属する技術分野】
本発明はストッキングに関するものである。
【０００２】
【従来の技術】
女性用のストッキングとしては、化学繊維の薄い生地で脚部から腰部までを一体的に覆うパンティストッキングや、左右別体で大腿部分をガーターベルトや弾力性を有する素材で固定する太もも丈ストッキングが知られている。
【０００３】
【発明が解決しようとする課題】
パンティストッキングは着脱が容易で低コストであるため広く普及しているが、着用時は着用感などの問題からショーツなどの下着を着用した上に着用するので、腹部や腰部が二重に覆われて通気性が損なわれるとともに、腹部が締め付けられる不快感がある。さらに、女性にとって非常に重要な要素であるファッション性が劣る問題も存在する。
一方、太もも丈ストッキングはこれらの問題はないが、大腿部で固定するためのガーターベルトは着脱が面倒であり、ストッキング上部の生地を痛めやすい問題がある。また、ガーターベルトの代わりにゴムなどの弾力性を有する素材で固定する方法は弾力性による圧迫感や不快感があり、また弾力性の低下によりずり落ちる問題がある。
また、最近ストッキングの大腿部分にシリコン製のストッパーをつけて、ガーターベルトを使用せず、弾力素材による圧迫感もないストッキングが実用化されている。このストッキングはパンティストッキングのような締め付け感がなく、ガーターベルトによる着脱時の面倒さもなく、弾力性素材による圧迫感もない上、色やデザインも豊富でファッション性にも優れた商品としてヒットしている。しかし、人によってはシリコンストッパーで肌が荒れるなどの問題も指摘されている。
【０００４】
本発明は、これらの課題を解決するもので、通気性に富み、腰部や大腿部の締め付け感や圧迫感もないストッキングを提供することを目的とする。
また、本発明の他の目的は、着脱も容易で、肌が荒れることもないストッキングを提供することを目的とする。
また、本発明のさらに他の目的は、ファッション性に優れたストッキングを提供することを目的とする。
【０００５】
【課題を解決するための手段】
請求項１記載の本発明のストッキングは、左右一対のストッキング脚部と、ウェストバンドと、一対の前記ストッキング脚部の各々を前記ウェストバンドに接合する左右一対の前側ガーターおよび左右一対の後側ガーターとを有するストッキングであって、前記前側ガーターを腹部位置で前記ウェストバンドおよび前記ストッキング脚部に接合し、前記後側ガーターを足の真横とヒップラインとの間の位置で前記ウェストバンドおよび前記ストッキング脚部に接合したことを特徴とする。
請求項２記載の本発明のストッキングは、左右一対のストッキング脚部と、ウェストバンドと、一対の前記ストッキング脚部の各々を前記ウェストバンドに接合する左右一対の前側ガーターおよび左右一対の後側ガーターとを有するストッキングであって、一対の前記後側ガーターの間隔を一対の前記前側ガーターの間隔よりも広くしたことを特徴とする。
請求項３記載の本発明は、請求項２に記載のストッキングにおいて、前記ウェストバンドの長さを５５ｃｍから６０ｃｍ、一対の前記前側ガーターの間隔を１０ｃｍから１４ｃｍ、一対の前記後側ガーターの間隔を１６ｃｍから２４ｃｍとしたことを特徴とする。
請求項４記載の本発明のストッキングは、左右一対のストッキング脚部と、一対の前記ストッキング脚部の上部にそれぞれ接合されたフリンジと、ウェストバンドと、それぞれの前記フリンジを前記ウェストバンドに接合する左右一対の前側ガーターおよび左右一対の後側ガーターとを有するストッキングであって、前記前側ガーターと前記後側ガーターとの前記フリンジにおける接合部での間隔を、前記ウェストバンドにおける接合部での間隔とほぼ同じ間隔としたことを特徴とする。
請求項５記載の本発明は、請求項４に記載のストッキングにおいて、前記ウェストバンドの長さを５５ｃｍから６０ｃｍ、前記フリンジの開口端側長さを３９ｃｍから４４ｃｍ、前記前側ガーターと前記後側ガーターとの間隔を１０ｃｍから１６ｃｍとしたことを特徴とする。
請求項６記載の本発明は、請求項１から請求項３のいずれかに記載のストッキングにおいて、前記ストッキング脚部の上部にフリンジが形成され、前記ガーターを前記フリンジと前記ウェストバンドに接合したことを特徴とする。
請求項７記載の本発明は、請求項４または請求項５に記載のストッキングにおいて、前記フリンジ、前記ガーター、および前記ウェストバンドを同一素材で形成したことを特徴とする。
請求項８記載の本発明は、請求項４または請求項５に記載のストッキングにおいて、前記フリンジ、前記ガーター、および前記ウェストバンドをレースで形成したことを特徴とする。
請求項９記載の本発明は、請求項１から請求項５のいずれかに記載のストッキングにおいて、前記フリンジおよび前記ウェストバンドの少なくとも一方の外表面であって、前記前側ガーターの接合部近傍に装飾リボンを設けたことを特徴とする。
請求項１０記載の本発明のストッキングは、左右一対のストッキング脚部と、ウェストバンドと、一対の前記ストッキング脚部の各々を前記ウェストバンドに接合する連接部とを有するストッキングであって、前記ウェストバンドとして、幅方向よりも長さ方向に大きな伸縮性を有する所定幅で所定長さのレース材を用い、前記レース材の両端を接合することで前記ウェストバンドがリング状に形成されていることを特徴とする。
請求項１１記載の本発明は、請求項１０に記載のストッキングにおいて、リング状に形成した前記ウェストバンドを、前記連接部に接合したことを特徴とする。
請求項１２記載の本発明のパンティストッキングは、左右一対のストッキング脚部を有するストッキング部と、前記ストッキング部の開口部に形成されたウェストバンドとを備えたパンティストッキングであって、前記ウェストバンドとして、幅方向よりも長さ方向に大きな伸縮性を有する所定幅で所定長さのレース材を用い、前記レース材の両端を接合することで前記ウェストバンドをリング状に形成し、リング状に形成した前記ウェストバンドを前記ストッキング部の開口部に接合したことを特徴とする。
請求項１３記載の本発明は、請求項１２に記載のパンティストッキングにおいて、前記ストッキング脚部への接合前の前記ウェストバンドをリング状に形成した状態では、両端開口部の大きさが等しい筒状に形成されていることを特徴とする。
請求項１４記載の本発明は、請求項１２に記載のパンティストッキングにおいて、前記ウェストバンドを、自然長さの状態で前記ストッキング部の開口部周囲長さよりも長い寸法となるように形成していることを特徴とする。
請求項１５記載の本発明は、請求項１４に記載のパンティストッキングにおいて、前記ストッキング脚部への接合前の自然長さの状態で前記ウェストバンドの長さを５５ｃｍから６０ｃｍとし、前記ストッキング部の開口部周囲長さの１．０３倍から１．１０倍の範囲としたことを特徴とする。
請求項１６記載の本発明は、請求項１２から請求項１５に記載のパンティストッキングにおいて、前記ウェストバンドを、前記ストッキング部の開口部を伸張した状態で接合したことを特徴とする。
【０００６】
【発明の実施の形態】
本発明の第１の実施の形態によるストッキングは、前側ガーターを腹部位置でウェストバンドおよびストッキング脚部に接合し、後側ガーターを足の真横とヒップラインとの間の位置でウェストバンドおよびストッキング脚部に接合したので、着脱が容易で、通気性に富み、腰部や大腿部の締め付け感や圧迫感もなく、肌が荒れることもない。
【０００７】
本発明の第２の実施の形態によるストッキングは、一対の後側ガーターの間隔を一対の前側ガーターの間隔よりも広くしたので、後側ガーターベルトはヒップラインをはずれる位置となり、姿勢の変化により後側ガーターベルトが強く引っ張られることがなく、ストッキング自体を傷めたり、身体への違和感や不快感を感じることがない。
【０００８】
本発明の第３の実施の形態によるストッキングは、第２の実施の形態によるストッキングにおいて、ウェストバンドの長さを５５ｃｍから６０ｃｍ、一対の前側ガーターの間隔を１０ｃｍから１４ｃｍ、一対の後側ガーターの間隔を１６ｃｍから２４ｃｍとしたものである。本実施の形態によれば、後側ガーターベルトはヒップラインをはずれる位置となり、姿勢の変化により後側ガーターベルトが強く引っ張られることがなく、ストッキング自体を傷めたり、身体への違和感や不快感を感じることがない。
【０００９】
本発明の第４の実施の形態によるストッキングは、前側ガーターと後側ガーターとのフリンジにおける接合部での間隔を、ウェストバンドにおける接合部での間隔とほぼ同じ間隔としたので、装着時にガーターはウェストバンドに対してＴ字状となる。
【００１０】
本発明の第５の実施の形態によるストッキングは、第４の実施の形態によるストッキングにおいて、ウェストバンドの長さを５５ｃｍから６０ｃｍ、フリンジの開口端側長さを３９ｃｍから４４ｃｍ、前側ガーターと後側ガーターとの間隔を１０ｃｍから１６ｃｍとしたものである。本実施の形態によれば、後側ガーターベルトはヒップラインをはずれる位置となり、装着時にガーターはウェストバンドに対してＴ字状となる。
【００１１】
本発明の第６の実施の形態によるストッキングは、第１から第３の実施の形態によるストッキングにおいて、ストッキング脚部の上部にフリンジが形成され、ガーターはフリンジとウェストバンドに接合されているので、フリンジが大腿部に確実にフィットし、着脱が容易で、腰部や大腿部の締め付け感や圧迫感もなく、肌が荒れることもない。また、大腿部におけるファッション性を向上させることができる。
【００１２】
本発明の第７の実施の形態によるストッキングは、第４または第５の実施の形態によるストッキングにおいて、フリンジ、ガーター、およびウェストバンドを同一素材で形成したので、着脱が容易で、腰部や大腿部の締め付け感や圧迫感もなく、着用感が一層向上する。
【００１３】
本発明の第８の実施の形態によるストッキングは、第４または第５の実施の形態によるストッキングにおいて、フリンジ、ガーター、およびウェストバンドをレースで形成したので、着脱が容易で、腰部や大腿部の締め付け感や圧迫感もなく、着用感が一層向上するとともに、ファッション性を一層向上させることができる。
【００１４】
本発明の第９の実施の形態によるストッキングは、第１から第５の実施の形態によるストッキングにおいて、フリンジおよびウェストバンドの少なくとも一方の外表面であって、前側ガーターの接合部近傍に装飾リボンをもうけたので、ファッション性、おしゃれ感を一層向上させることができるとともに装着を容易に行うことができる。
【００１５】
本発明の第１０の実施の形態によるストッキングは、ウェストバンドとして、幅方向よりも長さ方向に大きな伸縮性を有する所定幅で所定長さのレース材を用い、レース材の両端を接合することでウェストバンドがリング状に形成されているので、着用時のウェストでの締め付け感や圧迫感がない。また、長さ方向に大きな伸縮性を有する所定幅のレース材を用いることで、ウェストバンドをウェスト高さ以外に、腰高さやヒップ高さで着用しても、締め付け感や圧迫感が少ない。更に、ウェストバンド自体をレース材としていることで、ファッション性に優れ、丈の短いシャツを着ることもできる。
【００１６】
本発明の第１１の実施の形態によるストッキングは、第１０の実施の形態によるストッキングにおいて、リング状に形成したウェストバンドを、連接部に接合したものである。本実施の形態によれば、ウェストバンドを後付けするため、染色加工などを先に済ませることが可能となり、ストッキング脚部とウェストバンドとの素材を異ならせても不均一な縮みを考慮する必要がないため、伸縮性やデザインを優先して形成することができる。
【００１７】
本発明の第１２の実施の形態によるストッキングは、ウェストバンドとして、幅方向よりも長さ方向に大きな伸縮性を有する所定幅で所定長さのレース材を用い、レース材の両端を接合することでウェストバンドをリング状に形成し、リング状に形成したウェストバンドをストッキング部の開口部に接合したので、着用時のウェストでの締め付け感や圧迫感がない。また、長さ方向に大きな伸縮性を有する所定幅のレース材を用いることで、ウェストバンドをウェスト高さ以外に、腰高さやヒップ高さで着用しても、締め付け感や圧迫感が少ない。更に、ウェストバンド自体をレース材としていることで、ファッション性に優れ、丈の短いシャツを着ることもできる。
【００１８】
本発明の第１３の実施の形態によるストッキングは、第１２の実施の形態によるストッキングにおいて、ストッキング脚部への接合前のウェストバンドをリング状に形成した状態では、両端開口部の大きさが等しい筒状に形成されている。本実施の形態によれば、着用時にウェストバンド全体が均一に引き伸ばされるため締め付け感や圧迫感を更に少なくすることができる。
【００１９】
本発明の第１４の実施の形態によるストッキングは、第１２の実施の形態によるストッキングにおいて、ウェストバンドを、自然長さの状態で前記ストッキング部の開口部周囲長さよりも長い寸法となるように形成している。本実施の形態によれば、ウェストバンドの締め付け感や圧迫感を更に少なくすることができる。
【００２０】
本発明の第１５の実施の形態によるストッキングは、第１４の実施の形態によるストッキングにおいて、ストッキング脚部への接合前の自然長さの状態でウェストバンドの長さを５５ｃｍから６０ｃｍとし、ストッキング部の開口部周囲長さの１．０３倍から１．１０倍の範囲とすることで、ウェストバンドの締め付け感や圧迫感を少なくすることができる。
【００２１】
本発明の第１６の実施の形態によるストッキングは、第１２から第１５の実施の形態によるストッキングにおいて、ウェストバンドを、ストッキング部の開口部を伸張した状態で接合したことで、着用時にはウェストバンドの締め付け感や圧迫感を少なくするとともに、非着用時にはウェストバンド側の接合部にひだが形成されるためレース効果を高めることができる。
【００２２】
【実施例】
以下、本発明の一実施例について、図面に基づいて説明する。
図１は本実施例によるストッキングの外観を示す斜視図である。
本実施例のストッキングは、ナイロンや絹などの素材からなり一方向に伸縮性を持たせたレース材からなるガーター部１０と、ナイロンや絹などの素材からなり多方向に伸縮性を持たせた左右一対のストッキング脚部１１、１２とより構成される。ガーター部１０は、大腿部に位置するリング状のフリンジ１３、１４と、ウェスト部に装着するウェストバンド１５と、フリンジ１３、１４とウェストバンド１５とを接合する４本のガーター（連接部）１６、１７、１８、１９とで構成されている。ストッキング脚部１１はフリンジ１３に、ストッキング脚部１２はフリンジ１４に縫い付けられ、ストッキング脚部１１、１２とガーター部１０は接合され一体化されている。フリンジ１３、１４とウェストバンド１５とは、半径方向に伸縮性を持たせるように円周方向を伸縮方向としている。すなわち、フリンジ１３、１４とウェストバンド１５とは、幅方向よりも長さ方向に大きな伸縮性を有する所定幅で所定長さのレース材を用い、レース材の両端を接合することでリング状に形成している。またガーター１６、１７、１８、１９は、フリンジ１３、１４とウェストバンド１５との間の寸法が変更可能なように長手方向を伸縮方向としている。
【００２３】
なお、ガーター部１０のフリンジ１３、１４を省略してガーター１６、１７、１８、１９を直接ストッキング脚部１１、１２に接合することもできる。
ガーター１６、１７、１８、１９は、通常、ウェストバンド１５およびフリンジ１３、１４と別の布片で製作され、これらをウェストバンド１５およびフリンジ１３、１４に対して各々Ｔ字型をなすように縫い付けて一体化することによりガーター部１０を形成するが、トランクス状に形成した部材からガーター１６、１７、１８、１９に相当する部分を残して切り取ることによってガーター部を形成するようにしてもよい。ガーター部１０は、伸縮性、着用感およびファッション性を考慮して、全て同一素材のレース材で構成することが好ましい。また、ガーター部１０とストッキング脚部１１、１２を別々に染色して作成した後接合することにより製造を簡略化することができる。
フリンジ１３、１４およびウェストバンド１５のガーター１６、１７、１８、１９接続部には、装飾用のリボン２０、２１、２２、２３が適宜設けられ、ファッション性を高めている。リボンの取り付け位置は任意である。
【００２４】
図２（ａ）は本実施例によるストッキング着用時の正面図、図２（ｂ）は同ストッキング着用時の側面図である。また図３は同ストッキング着用時の状態を示す他の側面図である。
着用者は、ウェストバンド１５内からストッキング脚部１１、１２に足を通して着用する。この時着用者は、フリンジ１３、１４を大腿部に位置させ、ウェストバンド１５を腰骨の位置に装着する。着用時には、４本のガーター１６、１７、１８、１９のうち、２本のガーター１６、１７は身体の前面に位置し、図２（ａ）に見られるようにウェストバンド１５およびフリンジ１３、１４に対してＴ字型をなして装着される。４本のガーター１６、１７、１８、１９のうち、他の２本のガーター１８、１９は、図２（ｂ）に見られるようにヒップラインにかかることなく足の側部の後方側に位置し、その位置でウェストバンド１５およびフリンジ１３、１４に対してＴ字型をなして装着される。
【００２５】
ストッキング脚部１１、１２はフリンジ１３、１４がガーター１６、１７、１８、１９によりウェストバンド１５に一体に接合しているので、あたかも従来のガーターベルトで吊り下げられたように脚部に確実に装着、固定され、ずり落ちることはない。しかもウェストバンド１５とフリンジ１３、１４間にはガーター１６、１７、１８、１９以外にストッキング素材は存在しないので、下着がストッキング部材で覆われることがなく、腰部や腹部の締め付け感や圧迫感がなく、通気性にも富んで蒸れる恐れもないなど履き心地は快適である。
また、ウェストバンド１５およびフリンジ１３、１４を含むストッキング脚部１１、１２がガーター１６、１７、１８、１９により一体化されているので、パンティストッキングと同様の操作で簡単に着脱することができ、従来のガーターベルトのような面倒さもない。しかもフリンジ１３、１４にシリコンストッパーがないので、肌を荒らしたり傷めたりする恐れもない。
さらに、ウェストバンド１５、ガーター１６、１７、１８、１９およびフリンジ１３、１４はレースで製作することで、機能性だけでなくファッション性にも富んでおり、それぞれに装飾用リボンなどを取り付けることによりファッション性、おしゃれ度を一層高くすることができる。また、この装飾用リボンを身体の前面に位置するガーター１６、１７の接続部近傍の外表面に設けることで、ウェストバンド１５の表裏や前面側のガーター１６、１７の判別を行いやすくすることができ、ストッキング着用を容易に行うことができる。また、腰部、腹部から大腿部にかけての下半身を覆う布地が少ないので、スカートやパンツを着用したときのヒップラインのスタイルを損なうこともない。
【００２６】
図２（ａ）、（ｂ）に示すように、着用者が立った状態では、ガーター１６、１７、１８、１９は直線的に伸びているのでどの位置でも問題はないが、図３に示すように身体を動作させる場合は、その姿勢によって身体が伸縮し、それにつれて前側のガーター１６、１７はたるみ、後側のガーター１８、１９は引き伸ばされる。ガーター１６、１７、１８、１９の素材は若干の伸縮性はあるが、姿勢の変化により引き伸ばされる距離は装着されている身体の位置によっては伸縮性の限界を超えてしまい、ウェストバンド１５やフリンジ１３、１４を強く引っ張ってストッキング自体を傷めたり、身体の装着部で違和感や不快感を感じることがある。たるむ場合は違和感や不快感は少ないが着用時のスタイルを損なうためたるみ量も少ないことが好ましい。したがって、ガーター１６、１７、１８、１９、特に後側のガーター１８、１９は座ったりかがんだりする日常的な姿勢変化において腹部や腰部の伸縮が最も少ない位置に取り付けられることが望ましい。
【００２７】
日常的な姿勢変化において腹部や腰部の伸縮が最も少ない位置は着用者により個人差があるが、一般的には、前側のガーター１６、１７は足の付け根の鼠蹊部よりやや外側に位置することが好ましい。一方、後側のフリンジ１８、１９は、ヒップライン近辺がもっとも伸ばされるので、ヒップラインから離れた位置が好ましいが、ストッキング脚部１１、１２は各々前側ガーター１６、１７および後側のガーター１８、１９の２本で吊っているのでこの点からはヒップラインからあまり離れるのは好ましくない。したがって、大腿部の真横とヒップラインの中間位置乃至それよりやや前側にあたる斜め後ろに位置することが望ましい。
【００２８】
上記のような身体場所にガーターを位置させるためのガーターの取り付け位置について以下に説明する。
図４は、本実施例によるストッキングのガーターの取り付け位置を示す説明図である。発明者が実測した日本人女性の身体寸法に基づいて具体的な例で説明すると、日本人女性の平均的な身体寸法は、身長１６２ｃｍ、ウェスト６４ｃｍ、ヒップ８８ｃｍ、太もも周り５０ｃｍであった。
これに基づいて平均的サイズでは、素材の伸縮性を考慮して、ウェストバンド１５の長さ（ウェストサイズ）は５５ｃｍから６０ｃｍ、より好ましくは５６ｃｍから５８ｃｍとする。またフリンジ１３、１４の開口端側長さ（フリンジサイズ）は３９ｃｍから４４ｃｍ、より好ましくは３６ｃｍから４２ｃｍとする。ガーター１６、１７、１８、１９の長さは１２ｃｍから１４ｃｍ程度とする。
【００２９】
前側のガーター１６、１７のウェストバンド１５への取り付け位置は、ウェストバンド１５の前面中央位置からそれぞれ６ｃｍの位置、すなわち、ガーター１６とガーター１７との間隔Ｆは１２ｃｍ程度が適当である。なお、ガーター１６とガーター１７との間隔Ｆは１０ｃｍから１４ｃｍとすることが好ましい。また、後側のガーター１８、１９のウェストバンド１５への取り付け位置は、ウェストバンド１５の後面中央位置からそれぞれ１０ｃｍ、すなわち、ガーター１８とガーター１９との間隔Ｂは２０ｃｍ程度が適当である。なお、ガーター１８とガーター１９との間隔Ｂは１６ｃｍから２４ｃｍとすることが好ましい。このとき、前側のガーター１６と後側のガーター１８との間隔Ｓ、および前側のガーター１７と後側のガーター１９との間隔Ｓは１０ｃｍから１６ｃｍ程度とすることが好ましい。ただし、間隔Ｆよりも間隔Ｓが大きく、間隔Ｓよりも間隔Ｂが大きい。ガーター１６、１７、１８、１９の幅は任意であるが３ｃｍ程度がよい。ウェストバンド１５およびフリンジ１４、１３の幅も任意であるが６ｃｍ程度がよい。
【００３０】
前側のガーター１６、１７のフリンジ１３、１４への取り付け位置は、かかとが形成されたタイプでは、フリンジ１３、１４の前面中央位置、すなわち、つま先の位置に対応する位置である。また、後側のガーター１８、１９のフリンジ１３、１４への取り付け位置は、前側のガーター１６、１７のフリンジ１３、１４への取り付け位置から間隔Ｓ離れた位置とする。すなわち、ガーターベルト１５における間隔Ｓと同じ寸法となるように取り付ける。従って、前側のガーター１６と後側のガーター１８との間隔Ｓ、および前側のガーター１７と後側のガーター１９との間隔Ｓは１０ｃｍから１６ｃｍ程度となる。なお、本実施例のように、ガーターベルト１５とフリンジ１３、１４とを伸縮性が同等な素材とし、ガーターベルト１５における間隔Ｓとフリンジ１３、１４における間隔Ｓとを同じ間隔とすることで、ガーター１６、１７、１８、１９がガーターベルト１５に対してＴ字となるように装着されることになるが、フリンジ１３、１４における間隔Ｓをフリンジ１３、１４の開口端側長さ（フリンジサイズ）の半分より短い間隔とすることで、ヒップラインよりも足の側部側にガーター１８、１９を位置させることができる。従って、後側のガーター１８、１９のフリンジ１３、１４への取り付け位置と前側のガーター１６、１７のフリンジ１３、１４への取り付け位置との外側間隔Ｓは１９．５ｃｍから２２ｃｍ、より好ましくは１８ｃｍから２１ｃｍとする。
【００３１】
次に、本発明の他の実施例について図５と図６を用いて説明する。
図５は本実施例によるパンティストッキングの開口部近傍を示す要部平面図、図６は本実施例によるパンティストッキングの着用時の正面図である。
図に示すように、本実施例のパンティストッキングは、左右一対のストッキング脚部を有するストッキング部３１と、このストッキング部３１の開口部に接合されたウェストバンド３２とより形成される。本実施例によるストッキング部３１は、連接部としてパンティ部が左右一対のストッキング脚部と同一素材で一体に形成されている。
【００３２】
ウェストバンド１５は、上記実施例と同様に、幅方向よりも長さ方向に大きな伸縮性を有する所定幅で所定長さのレース材を用い、このレース材の両端を接合することでリング状に形成したものを利用する。ここでレース材は既に染色を済ませたものを利用する。このようにストッキング部３１に接合する前に、ストッキング部３１とは別に染色することで、染色による縮みを考慮することなく寸法を確保することができる。すなわち、通常はレース材がストッキング部３１よりも縮みが大きいため、接合後に染色を行うと、ウェストバンド１５とストッキング部３１とのいずれかが予定していた寸法と異なることが生じてしまうが、別々に染色することでこのような不都合を解消することができる。
リング状に形成したウェストバンド１５は、両端開口部の大きさが等しい筒状に形成する。このときウェストバンド１５は、自然長さの状態でストッキング部３１の開口部周囲の自然長さよりも長い寸法となるように形成している。具体的には、ウェストバンド１５の長さを５５ｃｍから６０ｃｍとし、ストッキング部３１の開口部周囲長さの１．０３倍から１．１０倍の範囲とする。より好ましくはウェストバンド１５の長さを５６ｃｍから５８ｃｍとする。そして、ウェストバンド１５を、ストッキング部３１の開口部を伸張した状態で接合する。この接合にあたっては、ウェストバンド１５の一方の開口部端から所定寸法中心に入った箇所にて接合する。このように、接合部よりもストッキング部３１側に、ウェストバンド１５の開口部端をスカート状に形成することで、デザイン性を高めることができる。なお、ウェストバンド１５とストッキング部３１との接合は、内周面にて行う。
一方、ウェストバンド１５をリング状に形成する時に、両端開口部の大きさが異なるように形成してもよい。このように一方の開口部を他方の開口部の大きさと異ならせて円錐台形状とすることで、例えば一方の開口部の大きさをストッキング部３１の開口部の大きさと同じ寸法としてもよい。
【００３３】
図６（Ａ）は本実施例によるパンティストッキングをウェスト高さで着用した時の正面図を、図６（Ｂ）は同パンティストッキングを腰高さで着用した時の正面図を、図６（Ｃ）は同パンティストッキングをヒップ高さで着用した時の正面図を示している。
本実施例に示すように、長さ方向に大きな伸縮性を有する所定幅のレース材を用いることで、ウェストバンドをウェスト高さ以外に、腰高さやヒップ高さで着用しても、締め付け感や圧迫感が少ない。
【００３４】
【発明の効果】
以上のように本発明によるストッキングによれば、ストッキング脚部がウェストバンド一体に接合しているので、履くだけで脚部に確実に固定されてずり落ちることはない。しかも腰部や大腿の締め付け感や圧迫感がなく、通気性にも富んで蒸れる恐れもないなど履き心地が快適である。
また、シリコンストッパーを使用していないので、肌を荒らしたり傷めたりする恐れもない。
また、ストッキング自体がファッション性にも富んでおり、しかも、スカートやパンツを着用した時のヒップラインのスタイルを損なうこともない。
【図面の簡単な説明】
【図１】本発明の一実施例によるストッキングの外観を示す斜視図
【図２】本実施例によるストッキング着用時の正面図及び側面図
【図３】同ストッキング着用時の状態を示す他の側面図
【図４】本実施例によるストッキングのガーターの取り付け位置を示す説明図
【図５】本実施例によるパンティストッキングの開口部近傍を示す要部平面図
【図６】本実施例によるパンティストッキングの着用時の正面図
【符号の説明】
１０　ガーター部
１１、１２　ストッキング脚部
１３、１４　フリンジ
１５　ウェストバンド
１６、１７、１８、１９　ガーター
【図１】
2004003063.tif 000003
【図２】
2004003063.tif 000004
【図３】
2004003063.tif 000005
【図４】
2004003063.tif 000006
【図５】
2004003063.tif 000007
【図６】
2004003063.tif 000008